(57)【要約】【課題】携帯式草刈機のクラッチハウジングと操作桿との結合構造を提供する。【解決手段】携帯式草刈機のクラッチハウジングと操作桿との結合構造は、操作桿、第一筒状スペーサー、第二筒状スペーサーおよびクラッチハウジングを含む。第一筒状スペーサーは操作桿の一端の外周に被さる。第二筒状スペーサーは第一筒状スペーサーと隣り合うように操作桿の外周に被さる。クラッチハウジングは第一筒状スペーサーおよび第二筒状スペーサーの格納に用いる通路を有する。操作桿、第一筒状スペーサー、第二筒状スペーサーおよびクラッチハウジングの通路は同軸に配置される。【選択図】  図３
2018019677.tif 000002
【特許請求の範囲】
【請求項１】
操作桿、第一筒状スペーサー、第二筒状スペーサーおよびクラッチハウジングを含み、
前記第一筒状スペーサーは、前記操作桿の一端の外周に被さり、
前記第二筒状スペーサーは、前記第一筒状スペーサーと隣り合うように前記操作桿の外周に被さり、
前記クラッチハウジングは、前記第一筒状スペーサーおよび前記第二筒状スペーサーの格納に用いる通路を有し、
前記操作桿、前記第一筒状スペーサー、前記第二筒状スペーサーおよび前記クラッチハウジングの前記通路は同軸に配置されることを特徴とする携帯式草刈機のクラッチハウジングと操作桿との結合構造。
【請求項２】
前記操作桿は、中空円管からなり、端部および貫通孔を有し、前記貫通孔は前記端部を貫通し、前記第一筒状スペーサーは、第一筒体および穿孔を有し、前記第一筒体はプラスチック製の中空円管からなり、前記操作桿の前記端部の外周に被さり、前記穿孔は前記第一筒体の周壁に貫通し、前記操作桿の前記貫通孔に対応し、固定ユニットは前記穿孔および前記貫通孔に差し込まれ、前記第一筒体を前記操作桿の前記端部に固定することを特徴とする請求項１に記載の携帯式草刈機のクラッチハウジングと操作桿との結合構造。
【請求項３】
前記第一筒状スペーサーは、さらに凹状部位、少なくとも一つの凹状溝および嵌合部を有し、前記凹状部位は前記第一筒体の外周縁部に環状に形成され、樹脂リングの装着に用いられ、少なくとも一つの前記凹状溝は前記第一筒体の軸方向に沿って前記第一筒体の外側に形成され、前記嵌合部は前記第一筒体の内壁面に環状に形成された環状突起部であり、前記嵌合部は前記操作桿の前記端部に当接することを特徴とする請求項２に記載の携帯式草刈機のクラッチハウジングと操作桿との結合構造。
【請求項４】
前記第二筒状スペーサーは、第二筒体、スロットおよび二つの位置決め部を有し、前記第二筒体はプラスチック製の中空円管からなり、前記第一筒体と隣り合うように前記操作桿の外周に被さり、前記スロットは前記第二筒体の軸方向に沿って前記第二筒体の周壁に形成され、二つの前記位置決め部は前記第二筒体の両端の外周縁部に形成された環状突起部であり、前記第二筒体の外径は前記第一筒体の外径より小さいことを特徴とする請求項２に記載の携帯式草刈機のクラッチハウジングと操作桿との結合構造。
【請求項５】
前記クラッチハウジングは、さらに装着部を有し、前記装着部は管体、第一チャンバーおよび第二チャンバーを有し、前記管体は中空円管からなり、内壁面を有し、前記通路は前記内壁面に囲まれ、前記管体の軸方向に沿って前記管体を貫通するように前記管体内に形成され、かつ前記管体の両端に位置する第一開口部および第二開口部を有し、前記第一チャンバーと前記第二チャンバーとは連なるように前記通路の両端に配置され、前記第一チャンバーと前記第一開口部とは連なり、前記第二チャンバーと前記第二開口部とは連なり、前記第一チャンバーの直径は前記第二チャンバーの直径より小さく、前記内壁面は前記第一チャンバーと前記第二チャンバーとの連結箇所に環状連結面を有し、前記第一筒体と前記第二筒体とは同軸に配置され、前記第一筒体は前記第二チャンバーに回転可能に配置され、前記第二筒体は前記第一チャンバーに配置され、二つの前記位置決め部は前記第一開口部の周縁部および前記環状連結面に当接することで前記第二筒体を前記第一チャンバー内に安定させることを特徴とする請求項４に記載の携帯式草刈機のクラッチハウジングと操作桿との結合構造。
【請求項６】
前記操作桿に二つの環状スペーサーを被せることができ、二つの前記環状スペーサーは前記第二チャンバー内の前記第一筒体の両端に据えられることを特徴とする請求項５に記載の携帯式草刈機のクラッチハウジングと操作桿との結合構造。
【請求項７】
さらに駆動軸およびクラッチを含み、
前記駆動軸は、前記操作桿とともに同軸に配置され、前記操作桿の軸方向に沿って前記操作桿を貫通し、
前記クラッチハウジングは、さらに連結部を有し、前記連結部は延長壁、格納部位および位置決めユニットを有し、前記延長壁は一端が前記管体の外周縁部に連結され、前記格納部位は前記延長壁の他端から前記第二開口部に向かって増大して形成され、かつ前記第二開口部を介して前記通路に繋がり、前記クラッチは前記格納部位に格納され、前記第二開口部を貫通し、前記駆動軸に接続され、前記位置決めユニットは前記延長壁の外周縁部に配置され、草刈機のモーターまたは燃油エンジンに接続され、前記草刈機の前記モーターまたは前記燃油エンジンの駆動力によって前記クラッチは前記駆動軸を駆動することを特徴とする請求項５または請求項６に記載の携帯式草刈機のクラッチハウジングと操作桿との結合構造。
【発明の詳細な説明】
【技術分野】
【０００１】
本発明は、草刈機に関し、詳しくは携帯式草刈機のクラッチハウジングと操作桿との結合構造に関するものである。
【背景技術】
【０００２】
特許文献１により掲示された携帯式草刈機１０は該案の図１に示すように、パイプ状操作桿１１、駆動軸１２、モーター１３（或いは燃油エンジン）および刈刃１４を備える。駆動軸１２は操作桿１１に差し込まれる。モーター１３は駆動軸１２を駆動できるように操作桿１１の一端に装着される。刈刃１４は操作桿１１の他端に配置され、回転軸１２の駆動力によって回転する。携帯式草刈機１０を操作する際、作業員Ｍａは肩掛バンド１９で携帯式草刈機１０を肩に掛け、操作桿１１に配置された棒状ハンドル１５を握り、草刈機１０をコントロールし、雑草を除去する。該案の図２に示すように、携帯式草刈機１０はさらにクラッチハウジング３０を備える。クラッチハウジング３０は操作桿装着部３１およびモーター装着部３３を有する。操作桿１１は一端が操作桿装着部３１に装着される。モーター１３はモーター装着部３３に固定される。上述した技術特徴により、操作桿１１は操作桿装着部３１に差し込まれ、外周縁部が操作桿装着部３１に当接するため、モーター１３の稼働に伴って生じた振動は操作桿１１、肩掛バンド１９および棒状ハンドル１５を介して作業員Ｍａの手および躯幹に伝わって作業員Ｍａに不快感を与える。一方、携帯式草刈機１０によって除草作業を行い、その最中に雑草の種類を対応するか、刈刃１４が雑草に引っ掛かって動かなくなったため、刈刃１４を検査したり取り換えたりしなければならない場合、操作桿１１を回し、地面に向いた刈刃１４を上向きに回せばよい。操作桿１１が回転する際、操作桿１１の一端が操作桿装着部３１を摩擦するため、長期にわたって草刈機１０を使用すれば、異音や部品の摩損などが発生する。それに対し、業者は操作桿装着部３１に差し込まれる操作桿１１の一端に硬質陽極酸化皮膜処理（いわゆる陽極酸化処理）を行い、操作桿１１の一端の外周縁部に高硬度の保護層を生成することによって、操作桿１１の一端の外周縁部の摩損を低減させる方式を採用する。しかしながら、このような方式は環境破壊およびコストアップを招くという問題が発生する。
【０００３】
上述した問題をまとめてみると、従来の草刈機のクラッチハウジングと操作桿の結合構造には改善の余地がある。
【先行技術文献】
【特許文献】
【０００４】
【特許文献１】台湾特許Ｉ２２８９７１号公報
【発明の概要】
【発明が解決しようとする課題】
【０００５】
本発明は、上述した欠点に鑑み、振動を吸収し、操作桿の摩損を抑制することができる携帯式草刈機のクラッチハウジングと操作桿の結合構造を提供することを主な目的とする。
【課題を解決するための手段】
【０００６】
上述した課題を解決するため、携帯式草刈機のクラッチハウジングと操作桿との結合構造は、操作桿、第一筒状スペーサー、第二筒状スペーサーおよびクラッチハウジングを含む。第一筒状スペーサーは操作桿の一端の外周に被さる。第二筒状スペーサーは第一筒状スペーサーと隣り合うように操作桿の外周に被さる。クラッチハウジングは第一筒状スペーサーおよび第二筒状スペーサーの格納に用いる通路を有する。操作桿、第一筒状スペーサー、第二筒状スペーサーおよびクラッチハウジングの通路は同軸に配置される。
【０００７】
比較的好ましい場合、携帯式草刈機のクラッチハウジングと操作桿との結合構造はさらに駆動軸およびクラッチを含む。操作桿は中空円管からなる。駆動軸は操作桿とともに同軸に配置され、操作桿の軸方向に沿って操作桿を貫通する。クラッチハウジングはさらに格納部位を有する。クラッチハウジングでは、格納部位は通路と連なり、クラッチの格納に用いられる。クラッチはクラッチハウジングの通路内に位置する駆動軸に接続され、草刈機のモーターまたは燃油エンジンの駆動力によって駆動軸を駆動する。
【０００８】
第一筒状スペーサーは操作桿の一端に被さるため、回転中の操作桿の一端とクラッチハウジングとの間に摩擦が生じることが原因で異音または部品の摩損が発生するという問題を排除できる。一方、草刈機のモーターまたは燃油エンジンの駆動力によってクラッチが駆動軸を駆動するとともに振動を発生させる際、第二筒状スペーサーは振動吸収効果を果たし、作業員に不快感を与えることを抑制することができる。
【０００９】
本発明についての詳細な構造、特徴、組み立てまたは使用方法は、以下の実施形態の詳細な説明を通して明確にする。また、以下の詳細な説明および本発明により提示された実施形態は本発明を説明するための一例に過ぎず、本発明の請求範囲を限定できないことは、本発明にかかわる領域において常識がある人ならば理解できるはずである。
【図面の簡単な説明】
【００１０】
【図１】本発明の一実施形態を示す斜視図である。
【図２】本発明の一実施形態の一部分を示す分解斜視図である。
【図３】本発明の一実施形態においての操作桿、第一筒状スペーサー、第二筒状スペーサーおよびクラッチハウジングの位置関係を示す斜視図である。
【図４】本発明の一実施形態においてのクラッチハウジング内部に第一チャンバーおよび第二チャンバーが配置された状態を示す断面図である。
【図５】本発明の一実施形態においての操作桿、駆動軸、クラッチハウジング、クラッチ、第一筒状スペーサー、第二筒状スペーサーを組み合わせた状態を示す断面図である。
【発明を実施するための形態】
【００１１】
以下、本発明による携帯式草刈機のクラッチハウジングと操作桿との結合構造を図面に基づいて説明する。
（一実施形態）
本発明の一実施形態による携帯式草刈機のクラッチハウジングと操作桿との結合構造１０は、操作桿２０、駆動軸２２、第一筒状スペーサー３０、第二筒状スペーサー４０、クラッチハウジング５０、クラッチ６０および調整機構７０を含む。
【００１２】
操作桿２０は、中空円管からなり、端部２３および貫通孔２４を有する。端部２３は操作桿２０の一端に位置する。貫通孔２４は端部２３を貫通する。本実施形態において、貫通孔２４は数が一つであるが、これに限らない。
【００１３】
駆動軸２２は、操作桿２０とともに同軸に配置され、操作桿２０の軸方向に沿って操作桿２０を貫通する。
【００１４】
第一筒状スペーサー３０は、第一筒体３１、凹状部位３２、少なくとも一つの凹状溝３３、嵌合部３４および穿孔３５を有する。本実施形態において、第一筒体３１はプラスチック製の中空円管からなり、操作桿２０とともに同軸に配置され、操作桿２０の端部２３の外周に被さる。凹状部位３２は第一筒体３１に環状に形成され、樹脂リングの装着に用いられる。少なくとも一つの凹状溝３３は第一筒体３１の軸方向に沿って第一筒体３１の外側に形成される。嵌合部３４は第一筒体３１の内壁面に環状に形成される。本実施形態において、嵌合部３４は環状突起部である。第一筒体３１が操作桿２０の端部２３の外周に被さる際、嵌合部３４は操作桿２０の端部２３に当接し、端部２３が第一筒体３１に突出することを抑制する。穿孔３５は第一筒体３１の周壁に貫通し、操作桿２０の貫通孔２４に対応する。固定ユニット３５１は穿孔３５および貫通孔２４に差し込まれ、第一筒体３１を操作桿２０の端部２３に固定する。穿孔３５は数が一つであるが、これに限らない。別の実施形態において、穿孔３５および貫通孔２４は数が複数であり、位置が相互に対応する。複数の固定ユニット３５１は複数の穿孔３５および複数の貫通孔２４に差し込まれ、第一筒体３１を操作桿２０の端部２３に固定する。固定ユニット３５１はリベットであるが、これに限らず、別の実施形態においてねじまたはねじおよびナットの組み合わせからなる。
【００１５】
第二筒状スペーサー４０は、第二筒体４１、スロット４２および二つの位置決め部４３を有する。本実施形態において、第二筒体４１はプラスチック製の中空円管からなり、第一筒体３１と隣り合うように操作桿２０の外周に被さる。第二筒体４１は操作桿２０とともに同軸に配置され、操作桿２０を軸に回転する。スロット４２は第二筒体４１の軸方向に沿って第二筒体４１の周壁に形成される。二つの位置決め部４３は環状突起部であり、第二筒体４１の両端の外周縁部に突出する。第二筒体４１の外径は第一筒体３１の外径より小さい。
【００１６】
クラッチハウジング５０は、じょうご状を呈し、装着部５１および連結部５２を有する。装着部５１は管体５３、通路５４、第一チャンバー５５、第二チャンバー５６および連結ユニット５８を有する。本実施形態において、管体５３は中空円管からなり、内壁面５９を有する。通路５４は内壁面５９に囲まれ、管体５３の軸方向に沿って管体５３を貫通するように管体５３内に形成され、管体５３の両端に位置する第一開口部５４１および第二開口部５４２を有する。第一チャンバー５５と第二チャンバー５６とは連なるように通路５４の両端に配置される。第一チャンバー５５と第一開口部５４１とは連なり、第二チャンバー５６と第二開口部５４２とは連なる。本実施形態において、第一チャンバー５５の直径が第二チャンバー５６の直径より小さいため、内壁面５９は第一チャンバー５５と第二チャンバー５６との連結箇所に環状連結面５４３を有する。連結ユニット５８は管体５３の外周縁部に突起するように形成される。
【００１７】
第一筒状スペーサー３０の第一筒体３１はクラッチハウジング５０の第二チャンバー５６に回転可能に配置される。第二筒状スペーサー４０の第二筒体４１はクラッチハウジング５０の第一チャンバー５５に配置される。第二筒体４１の両端の外周縁部に突出する二つの位置決め部４３は第一開口部５４１の周縁部および環状連結面５４３に当接することで第二筒体４１を第一チャンバー５５に安定させる。本実施形態は操作桿２０に二つの環状スペーサー５４４を被せることができる。二つの環状スペーサー５４４は第二チャンバー５６内の第一筒体３１の両端に据えられる。続いて、少なくとも一つの凹状溝３３に潤滑液体を塗布することによって第二チャンバー５６内の第一筒体３１をスムーズに回転させることができる。凹状部位３２に被さる樹脂リングは内壁面５９に当接し、潤滑液体が第一チャンバー５５に流入することを抑制する。
【００１８】
連結部５２は茶わん状を呈し、延長壁５２１、格納部位５２２および位置決めユニット５２３を有する。延長壁５２１は一端が管体５３の外周縁部に連結される。格納部位５２２は延長壁５２１の他端から第二開口部５４２に向かって増大して形成され、かつ第二開口部５４２を介して通路５４に繋がる。位置決めユニット５２３は延長壁５２１の外周縁部に配置され、草刈機のモーター（または燃油エンジン）に接続される。
【００１９】
クラッチ６０は、連結部５２の格納部位５２２に格納され、かつ第二開口部５４２を貫通し、駆動軸２２に接続される。クラッチ６０、駆動軸２２、操作桿２０、第一筒体３１、第二筒体４１および通路５４は同軸に配置される。クラッチ６０は草刈機のモーター（または燃油エンジン）の駆動力によって駆動軸２２を駆動する。
【００２０】
本実施形態は、さらに第二チャンバー５６かつ第二開口部５４２に近い部位にベアリング８０を配置する。クラッチ６０は第二開口部５４２およびベアリング８０を貫通し、駆動軸２２に接続される。
【００２１】
調整機構７０は、連結部７１、締付部７２およびボルト７３を有する。締付部７２は操作桿２０の外周に被さる。ボルト７３は締付部７２に配置される。締付部７２にボルト７３を締め付けたり緩めたりすれば、締付部７２に操作桿２０を固定したり、解放したりすることができる。連結部７１は一端が締付部７２に連結され、他端が連結ユニット５８に連結される。
【００２２】
操作桿２０を回す際、ボルト７３を調整し、締付部７２から操作桿２０を緩めれば操作桿２０を回すことができる。このとき操作桿２０は同時に第二チャンバー５６内の第一筒体３１を回転させる。第一筒体３１は操作桿２０の端部２３に被さるため、操作桿２０の端部２３とクラッチハウジング５０の内壁面５９との間に摩擦が生じ、部品を摩損させるという問題と、長期使用に伴って異音が発生するという問題とを排除できる。一方、草刈機のモーター（または燃油エンジン）の駆動力によってクラッチ６０が駆動軸２２を駆動するとともに振動を発生させる際、第二筒体４１は操作桿２０の外周に被さり、かつ第一チャンバー５５内に位置するため、振動吸収効果および振動緩和効果を果たし、作業員に不快感を与えることを抑制することができる。
【００２３】
以上、本発明は、上記実施形態になんら限定されるものではなく、発明の趣旨を逸脱しない範囲において種々の形態で実施可能である。
【符号の説明】
【００２４】
１０：携帯式草刈機のクラッチハウジングと操作桿との結合構造、
２０：操作桿、
２２：駆動軸、
２３：端部、
２４：貫通孔、
３０：第一筒状スペーサー、
３１：第一筒体、
３２：凹状部位、
３３：凹状溝、
３４：嵌合部、
３５：穿孔、
３５１：固定ユニット
４０：第二筒状スペーサー、
４１：第二筒体、
４２：スロット、
４３：位置決め部、
５０：クラッチハウジング、
５１：装着部、
５２：連結部、
５２１：延長壁、
５２２：格納部位、
５２３：位置決めユニット、
５３：管体、
５４：通路、
５４１：第一開口部、
５４２：第二開口部、
５４３：環状連結面、
５４４：環状スペーサー、
５５：第一チャンバー、
５６：第二チャンバー、
５８：連結ユニット、
５９：内壁面、
６０：クラッチ、
７０：調整機構
７１：連結部、
７２：締付部、
７３：ボルト、
８０：ベアリング
【図１】
2018019677.tif 000003
【図２】
2018019677.tif 000004
【図３】
2018019677.tif 000005
【図４】
2018019677.tif 000006
【図５】
2018019677.tif 000007
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
操作桿、第一筒状スペーサー、第二筒状スペーサーおよびクラッチハウジングを含み、
前記第一筒状スペーサーは、前記操作桿の一端の外周に被さり、
前記第二筒状スペーサーは、前記第一筒状スペーサーと隣り合うように前記操作桿の外周に被さり、
前記クラッチハウジングは、前記第一筒状スペーサーおよび前記第二筒状スペーサーの格納に用いる通路を有し、
前記操作桿、前記第一筒状スペーサー、前記第二筒状スペーサーおよび前記クラッチハウジングの前記通路は同軸に配置され、
前記操作桿は、中空円管からなり、端部および貫通孔を有し、前記貫通孔は前記端部を貫通し、前記第一筒状スペーサーは、第一筒体および穿孔を有し、前記第一筒体はプラスチック製の中空円管からなり、前記操作桿の前記端部の外周に被さり、前記穿孔は前記第一筒体の周壁に貫通し、前記操作桿の前記貫通孔に対応し、固定ユニットは前記穿孔および前記貫通孔に差し込まれ、前記第一筒体を前記操作桿の前記端部に固定し、
前記第一筒状スペーサーは、一端に嵌合部を有し、
前記嵌合部は前記第一筒体の内壁面に環状に形成された環状突起部であり、前記嵌合部は前記操作桿の前記端部に当接し、
前記第一筒状スペーサーは、他端において前記第二筒状スペーサーと隣り合い、
前記操作桿は、前記第二筒状スペーサーを貫通する、
ことを特徴とする携帯式草刈機のクラッチハウジングと操作桿との結合構造。
【請求項２】
前記第一筒状スペーサーは、さらに凹状部位、および少なくとも一つの凹状溝を有し、前記凹状部位は前記第一筒体の外周縁部に環状に形成され、樹脂リングの装着に用いられ、少なくとも一つの前記凹状溝は前記第一筒体の軸方向に沿って前記第一筒体の外側に形成することを特徴とする請求項１に記載の携帯式草刈機のクラッチハウジングと操作桿との結合構造。
【請求項３】
前記第二筒状スペーサーは、第二筒体、スロットおよび二つの位置決め部を有し、前記第二筒体はプラスチック製の中空円管からなり、前記第一筒体と隣り合うように前記操作桿の外周に被さり、前記スロットは前記第二筒体の軸方向に沿って前記第二筒体の周壁に形成され、二つの前記位置決め部は前記第二筒体の両端の外周縁部に形成された環状突起部であり、前記第二筒体の外径は前記第一筒体の外径より小さいことを特徴とする請求項１に記載の携帯式草刈機のクラッチハウジングと操作桿との結合構造。
【請求項４】
前記クラッチハウジングは、さらに装着部を有し、前記装着部は管体、第一チャンバーおよび第二チャンバーを有し、前記管体は中空円管からなり、内壁面を有し、前記通路は前記内壁面に囲まれ、前記管体の軸方向に沿って前記管体を貫通するように前記管体内に形成され、かつ前記管体の両端に位置する第一開口部および第二開口部を有し、前記第一チャンバーと前記第二チャンバーとは連なるように前記通路の両端に配置され、前記第一チャンバーと前記第一開口部とは連なり、前記第二チャンバーと前記第二開口部とは連なり、前記第一チャンバーの直径は前記第二チャンバーの直径より小さく、前記内壁面は前記第一チャンバーと前記第二チャンバーとの連結箇所に環状連結面を有し、前記第一筒体と前記第二筒体とは同軸に配置され、前記第一筒体は前記第二チャンバーに回転可能に配置され、前記第二筒体は前記第一チャンバーに配置され、二つの前記位置決め部は前記第一開口部の周縁部および前記環状連結面に当接することで前記第二筒体を前記第一チャンバー内に安定させることを特徴とする請求項３に記載の携帯式草刈機のクラッチハウジングと操作桿との結合構造。
【請求項５】
前記操作桿に二つの環状スペーサーを被せることができ、二つの前記環状スペーサーは前記第二チャンバー内の前記第一筒体の両端に据えられることを特徴とする請求項４に記載の携帯式草刈機のクラッチハウジングと操作桿との結合構造。
【請求項６】
さらに駆動軸およびクラッチを含み、
前記駆動軸は、前記操作桿とともに同軸に配置され、前記操作桿の軸方向に沿って前記操作桿を貫通し、
前記クラッチハウジングは、さらに連結部を有し、前記連結部は延長壁、格納部位および位置決めユニットを有し、前記延長壁は一端が前記管体の外周縁部に連結され、前記格納部位は前記延長壁の他端から前記第二開口部に向かって増大して形成され、かつ前記第二開口部を介して前記通路に繋がり、前記クラッチは前記格納部位に格納され、前記第二開口部を貫通し、前記駆動軸に接続され、前記位置決めユニットは前記延長壁の外周縁部に配置され、草刈機のモーターまたは燃油エンジンに接続され、前記草刈機の前記モーターまたは前記燃油エンジンの駆動力によって前記クラッチは前記駆動軸を駆動することを特徴とする請求項４または請求項５に記載の携帯式草刈機のクラッチハウジングと操作桿との結合構造。
【手続補正２】
【補正対象書類名】明細書
【補正対象項目名】０００６
【補正方法】変更
【補正の内容】
【０００６】
上述した課題を解決するため、携帯式草刈機のクラッチハウジングと操作桿との結合構造は、操作桿、第一筒状スペーサー、第二筒状スペーサーおよびクラッチハウジングを含む。第一筒状スペーサーは操作桿の一端の外周に被さる。第二筒状スペーサーは第一筒状スペーサーと隣り合うように操作桿の外周に被さる。クラッチハウジングは第一筒状スペーサーおよび第二筒状スペーサーの格納に用いる通路を有する。操作桿、第一筒状スペーサー、第二筒状スペーサーおよびクラッチハウジングの通路は同軸に配置される。
第一筒状スペーサーは操作桿の一端に被さるため、回転中の操作桿の一端とクラッチハウジングとの間に摩擦が生じることが原因で異音または部品の摩損が発生するという問題を排除できる。一方、草刈機のモーターまたは燃油エンジンの駆動力によってクラッチが駆動軸を駆動するとともに振動を発生させる際、第二筒状スペーサーは振動吸収効果を果たし、作業員に不快感を与えることを抑制することができる。
【手続補正３】
【補正対象書類名】明細書
【補正対象項目名】０００７
【補正方法】変更
【補正の内容】
【０００７】
また、前記操作桿は、中空円管からなり、端部および貫通孔を有し、前記貫通孔は前記端部を貫通し、前記第一筒状スペーサーは、第一筒体および穿孔を有し、前記第一筒体はプラスチック製の中空円管からなり、前記操作桿の前記端部の外周に被さり、前記穿孔は前記第一筒体の周壁に貫通し、前記操作桿の前記貫通孔に対応し、固定ユニットは前記穿孔および前記貫通孔に差し込まれ、前記第一筒体を前記操作桿の前記端部に固定する構成でもよい。
さらに、前記第一筒状スペーサーは、さらに凹状部位、少なくとも一つの凹状溝および嵌合部を有し、前記凹状部位は前記第一筒体の外周縁部に環状に形成され、樹脂リングの装着に用いられ、少なくとも一つの前記凹状溝は前記第一筒体の軸方向に沿って前記第一筒体の外側に形成され、前記嵌合部は前記第一筒体の内壁面に環状に形成された環状突起部であり、前記嵌合部は前記操作桿の前記端部に当接する構成でもよい。
さらに、前記第二筒状スペーサーは、第二筒体、スロットおよび二つの位置決め部を有し、前記第二筒体はプラスチック製の中空円管からなり、前記第一筒体と隣り合うように前記操作桿の外周に被さり、前記スロットは前記第二筒体の軸方向に沿って前記第二筒体の周壁に形成され、二つの前記位置決め部は前記第二筒体の両端の外周縁部に形成された環状突起部であり、前記第二筒体の外径は前記第一筒体の外径より小さい構成でもよい。
さらに、前記クラッチハウジングは、さらに装着部を有し、前記装着部は管体、第一チャンバーおよび第二チャンバーを有し、前記管体は中空円管からなり、内壁面を有し、前記通路は前記内壁面に囲まれ、前記管体の軸方向に沿って前記管体を貫通するように前記管体内に形成され、かつ前記管体の両端に位置する第一開口部および第二開口部を有し、前記第一チャンバーと前記第二チャンバーとは連なるように前記通路の両端に配置され、前記第一チャンバーと前記第一開口部とは連なり、前記第二チャンバーと前記第二開口部とは連なり、前記第一チャンバーの直径は前記第二チャンバーの直径より小さく、前記内壁面は前記第一チャンバーと前記第二チャンバーとの連結箇所に環状連結面を有し、前記第一筒体と前記第二筒体とは同軸に配置され、前記第一筒体は前記第二チャンバーに回転可能に配置され、前記第二筒体は前記第一チャンバーに配置され、二つの前記位置決め部は前記第一開口部の周縁部および前記環状連結面に当接することで前記第二筒体を前記第一チャンバー内に安定させる構成でもよい。
さらに、操作桿に二つの環状スペーサーを被せることができ、二つの前記環状スペーサーは前記第二チャンバー内の前記第一筒体の両端に据えられる構成でもよい。
【手続補正４】
【補正対象書類名】明細書
【補正対象項目名】０００８
【補正方法】変更
【補正の内容】
【０００８】
さらに駆動軸およびクラッチを含み、前記駆動軸は、前記操作桿とともに同軸に配置され、前記操作桿の軸方向に沿って前記操作桿を貫通し、前記クラッチハウジングは、さらに連結部を有し、前記連結部は延長壁、格納部位および位置決めユニットを有し、前記延長壁は一端が前記管体の外周縁部に連結され、前記格納部位は前記延長壁の他端から前記第二開口部に向かって増大して形成され、かつ前記第二開口部を介して前記通路に繋がり、前記クラッチは前記格納部位に格納され、前記第二開口部を貫通し、前記駆動軸に接続され、前記位置決めユニットは前記延長壁の外周縁部に配置され、草刈機のモーターまたは燃油エンジンに接続され、前記草刈機の前記モーターまたは前記燃油エンジンの駆動力によって前記クラッチは前記駆動軸を駆動する構成でもよい。
比較的好ましい場合、携帯式草刈機のクラッチハウジングと操作桿との結合構造はさらに駆動軸およびクラッチを含む。操作桿は中空円管からなる。駆動軸は操作桿とともに同軸に配置され、操作桿の軸方向に沿って操作桿を貫通する。クラッチハウジングはさらに格納部位を有する。クラッチハウジングでは、格納部位は通路と連なり、クラッチの格納に用いられる。クラッチはクラッチハウジングの通路内に位置する駆動軸に接続され、草刈機のモーターまたは燃油エンジンの駆動力によって駆動軸を駆動する。